(57)【要約】      （修正有）【課題】構造がシンプルで、小さいスペースを占用し、且つ生産加工しやすく、生産コストが低い壁掛け花瓶を提供する。【解決手段】吸盤１と花瓶本体２を備え、上部に開口部５が設けた花瓶本体２の縁側と吸盤１との間に配置された位置決めリブ３と溝を有し、塗布された粘着剤により花瓶本体２の縁側と吸盤１とを一体に接合することで、植物、飾り物の挿入や魚類養殖用チャンバーを形成できる。【選択図】図１
0003215412.tif 000002
【実用新案登録請求の範囲】
【請求項１】
吸盤と花瓶本体を備え、上部に開口部が設けた花瓶本体の縁側と吸盤との間に配置された位置決めリブと溝は、塗布された粘着剤により花瓶本体の縁側と吸盤とを一体に接合することで、植物、飾り物の挿入や魚類養殖用チャンバーを形成できる、ことを特徴とする壁掛け花瓶。
【請求項２】
前記位置決めリブは吸盤と一体に成形され、且つ連続に延び、リブが延伸して形成する形状と花瓶本体の形状とは一致であり、溝は、リブと配合した後良好な密封縁を形成させるように、花瓶本体の縁側に沿って配置される、ことを特徴とする請求項１に記載の壁掛け花瓶。
【請求項３】
前記リブの開始位置は花瓶本体の開口側と対応し、開始位置から花瓶本体の縁側に沿って、対応の花瓶本体の開口の向こう側まで延伸して終了位置とする、ことを特徴とする請求項２に記載の壁掛け花瓶。
【請求項４】
前記吸盤に配置された前記溝と、花瓶本体の縁側が下に向いて伸び出したものとする位置決めリブとは、形状が対応する構成をして、リブと溝とが配合した後に良好な密封縁を形成させる、ことを特徴とする請求項１に記載の壁掛け花瓶。
【請求項５】
前記吸盤は接着性シリコーンシート、シリコーンフィルム又は柔軟なプラスチックシートを用い、背面が平滑な平面とする、ことを特徴とする請求項１に記載の壁掛け花瓶。
【請求項６】
前記花瓶本体の面積は吸盤の面積より小さい、ことを特徴とする請求項１に記載の壁掛け花瓶。
【考案の詳細な説明】
【技術分野】
【０００１】
本実用新案はインテリア製品技術分野に関し、具体的には壁掛け花瓶を開示した。
【背景技術】
【０００２】
統計によると、住民の日常生活では、一般的に家庭の装飾としては、植物の緑化、観賞魚、書道や絵画などで内部空間を飾ることは多く、ここにおいて、植物による緑化は最も一般的な方法である。現時点まで、室内の立体的緑化は主に（１）鉢、フレームや装飾的バスケットを窓、玄関、ドア、キャビネットの傍を吊り、バスケットに折り鶴ラン、キヅタや葉が垂れる植物を植える吊り様態と、フラワーラックを壁に嵌め込んで葉が垂れた植物を置き、ソファの上側、ドアの隣や壁面に配置可能なフラワーラックと、移動しやすく、柔軟で便利で、植物を高めることができるため、空間緑化の欠陥を補う可能、室内の立体緑化を実現できる理想的ツールであるフラワースタンドとを含むが、上記室内の緑化様態は大きなスペースを占用しなければならなく、コストが高くて、配置しにくいという問題はある。
【考案の概要】
【考案が解決しようとする課題】
【０００３】
本実用新案の目的としては、従来技術の欠陥を解決するために、構造がシンプルで、小さいスペースを占用し、且つ生産加工しやすく、生産コストが低い壁掛け花瓶を提供することである。
【課題を解決するための手段】
【０００４】
上記目的を実現するためには、本実用新案は吸盤と花瓶本体を備え、上部に開口部が設けた花瓶本体の縁側と吸盤との間に配置された位置決めリブと溝は、塗布された粘着剤により花瓶本体の縁側と吸盤とを一体に接合することで、フラワーアレンジメント用花瓶として、植物の挿入用チャンバーを形成可能な壁掛け花瓶を提供する技術的実施様態を利用する。
【０００５】
上記実施様態をより詳しく説明するように、前記位置決めリブは吸盤と一体に成形され、且つ連続に延び、リブが延伸して形成する形状と花瓶本体の形状とは同様である。溝は、リブと配合した後良好な密封縁を形成させ、粘着後、製品の使用工程に液体の漏れはないように、花瓶本体の縁側に沿って配置される。
【０００６】
更に、リブの開始位置は花瓶本体の開口側と対応し、開始位置から花瓶本体の縁側に沿って、対応の花瓶本体の開口の向こう側まで延伸して終了位置とする。
【０００７】
更に、吸盤に配置された前記溝と、花瓶本体の縁側が下に向いて伸び出したものとする位置決めリブとは、形状が対応する構成をして、リブと溝とが配合した後に良好な密封縁を形成させ、粘着後に製品の使用工程において、液体の漏れることはない。
【０００８】
更に、前記吸盤は接着性シリコーンシートまたはシリコーンフィルムを用いるため、花瓶本体の吸着能力を大幅に向上させ、花瓶本体は頑固に壁やガラスなどの平滑面に吸着されるようになった。
【０００９】
更に、前記吸盤は柔軟なプラスチックシートを使用し、組み立てる前にその背面に水を一層と塗りかけ、該柔軟なプラスチックシートと取付面との間にある空気を排出させ、吸盤が大気圧の力を受けてしっかりと取付面に吸着させる。
【００１０】
更に、前記吸盤は平滑な背面を有し、この平面に一層の水を塗布しただけでガラス、タイルなどの平滑な表面で構成される壁に貼り付けられる。
【００１１】
更に、前記花瓶本体が吸盤の面積より小さい面積を持つことは、吸盤が花瓶本体を十分に支持することを可能にする。
【００１２】
更に、前記接着剤の充填量は１０００−１３００μL、花瓶本体の高さは１００−１５０ｍｍ、花瓶材料の硬度は４０−６０度、吸盤材料の厚さは２−３ｍｍ、硬度は２５−３５度、位置決めリブと溝との配合高度は２−３ｍｍとする。
【００１３】
更に、前記花瓶本体は内部チャンバーの容積と吸盤の面積とは１：２（１−２）の比例で構成される。
【考案の効果】
【００１４】
本実用新案は上記技術様態を採用することによって、下記のような有益効果を得ることができる。
【００１５】
本実用新案は、粘着剤を採用して、吸盤と花瓶本体との間に配置した配合可能な位置決めリブと溝を一体に粘着する様態を経由して、製品の構造がシンプルになったり、型開きをもっと便利になったりすることができ、また花瓶本体を実際の需要によると、様々な形状を設計可能になるため、コストが低い。なお、従来技術に例えば、留め具と接着剤などの取付け手段と比べると、本製品全体は応用する便利性は向上し、小さいスペースだけ占用しているので、水生植物だけではなく、魚の養殖も可能であり、緑化や装飾効果は優れている。
【００１６】
本実用新案においては、吸盤として利用する接着性シリコーンシートまたはシリコーンフィルムは、花瓶本体の吸着能力を大幅に向上させたため、花瓶本体が壁、ガラスなどの平滑な平面にしっかりと貼りつくようになった。
【図面の簡単な説明】
【００１７】
【図１】本実用新案の構造図である。
【図２】本実用新案の吸盤を示す構造図である。
【図３】本実用新案の花瓶本体を示す構造図である。
【考案を実施するための形態】
【００１８】
以下に、具体的な実施例によって、本実用新案を詳細に説明する。
【００１９】
〔実施例１〕
図１から図３に示すように、本実用新案は、吸盤１と花瓶本体２を備え、上部に開口部５が設けた花瓶本体２の縁側と吸盤との間に配置された位置決めリブ３と溝４は、塗布された粘着剤により花瓶本体の縁側と吸盤とを一体に接合することで、フラワーアレンジメント用花瓶、又は魚類の養殖用水槽として、植物、飾り物の挿入や魚類養殖用チャンバーを形成できる壁掛け花瓶を提供する。前記花瓶本体が吸盤の面積より小さい面積を持つことは、吸盤が花瓶本体を十分に支持することを可能にする。
【００２０】
本実施例においては、前記位置決めリブ３は吸盤と一体に成形され、且つ連続に延び、リブが延伸して形成する形状と花瓶本体の形状とは一致であり、溝４は、リブと配合した後良好な密封縁を形成させ、粘着後、製品の使用工程に液体の漏れはないように、花瓶本体２の縁側に沿って配置され、リブの開始位置は花瓶本体の開口側と対応し、開始位置から花瓶本体の縁側に沿って、対応の花瓶本体の開口の向こう側まで延伸して終了位置とする。
【００２１】
前記吸盤１は接着性シリコーンシートまたはシリコーンフィルムを用いるため、花瓶本体の吸着能力を大幅に向上させ、花瓶本体は頑固に壁やガラスなどの平滑面に吸着されるようになった。本実施例においては、前記接着剤の充填量は１１６５μL、花瓶本体の高さは１２８ｍｍ、花瓶材料の硬度は５０度、吸盤材料の厚さは２．５ｍｍ、硬度は３０度、位置決めリブと溝との配合高度は２．５ｍｍとし、前記花瓶本体は内部チャンバーの容積と吸盤の面積とは１：１．３の比例で構成される。本実施例は、接着剤、花瓶本体の高度、花瓶材料の硬度、吸盤材料の硬度、位置決めリブと溝の配合高度、及び花瓶本体の内部チャンバーの容積と吸盤の面積との比例を合理的に配置することにより、吸盤は水と花を載置した花瓶本体を支持する十分な吸着力を有するようになった。
【００２２】
〔実施例２〕
本実施例においては、前記吸盤１は柔軟なプラスチックシートを使用し、組み立てる前にその背面に水を一層と塗りかけ、該柔軟なプラスチックシートと取付面との間にある空気を排出させ、吸盤が大気圧の力を受けてしっかりと取付面に吸着させ、前記吸盤は平滑な背面を有するため、この平面に一層の水を塗布しただけで、ガラス、タイルなどの平滑な表面で構成される壁に貼り付けられる。
【００２３】
〔実施例３〕
本実施例と実施例１とは、位置決めリブの位置と溝の位置が置換される点で異なっているが、吸盤に配置された前記溝と、花瓶本体の縁側が下に向いて伸び出したものとする位置決めリブとは、形状が対応する構成をして、リブと溝とが配合した後に良好な密封縁を形成させ、粘着後に製品の使用工程において、液体の漏れることはない。
【００２４】
従来技術と比較すると、本実用新案は粘着剤を採用して、吸盤と花瓶本体との間に配置した配合可能な位置決めリブと溝を一体に粘着する様態を経由して、製品の構造がシンプルになったり、型開きをもっと便利になったりすることができ、また一体に成形した吸盤と花瓶本体の構成と比べると、花瓶本体を実際の需要によると、様々な形状を設計可能になるため、政策コストと難易度とも低くなった。なお、従来技術に例えば、留め具と接着剤などの取付け手段と比べると、本製品全体は応用する便利性は向上し、小さいスペースだけ占用しているので、水生植物だけではなく、魚の養殖も可能であり、緑化や装飾効果は優れている。
【００２５】
上記は本実用新案に関する好ましい実施例を説明したが、当業者にとっては、本実用新案の原理と精神を脱離しない前提で、これらの実施例に対する多種類の変更や修正が可能であり、本実用新案の範囲に限定されるものである。
【符号の説明】
【００２６】
１  吸盤
２  花瓶本体
３  位置決めリブ
４  溝
５  開口部
【図１】
0003215412.tif 000003
【図２】
0003215412.tif 000004
【図３】
0003215412.tif 000005
【手続補正書】
【提出日】平成30年1月9日(2018.1.9)
【手続補正１】
【補正対象書類名】実用新案登録請求の範囲
【補正対象項目名】全文
【補正方法】変更
【補正の内容】
【実用新案登録請求の範囲】
【請求項１】
吸盤と花瓶本体を備え、上部に開口部が設けた花瓶本体の縁側と吸盤との間に配置された位置決めリブと溝は、塗布された粘着剤により花瓶本体の縁側と吸盤とを一体に接合することで、植物、飾り物の挿入や魚類養殖用チャンバーを形成できる、ことを特徴とする壁掛け花瓶。
【請求項２】
前記位置決めリブは吸盤と一体に成形され、且つ連続に延び、リブが延伸して形成する形状と花瓶本体の形状とは一致であり、溝は、リブと配合した後良好な密封縁を形成させるように、花瓶本体の縁側に沿って配置される、ことを特徴とする請求項１に記載の壁掛け花瓶。
【請求項３】
前記リブの開始位置は花瓶本体の開口側と対応し、開始位置から花瓶本体の縁側に沿って、対応の花瓶本体の開口の向こう側まで延伸して終了位置とする、ことを特徴とする請求項２に記載の壁掛け花瓶。
【請求項４】
前記吸盤に配置された前記溝と、花瓶本体の縁側が下に向いて伸び出したものとする位置決めリブとは、形状が対応する構成をして、リブと溝とが配合した後に良好な密封縁を形成させる、ことを特徴とする請求項１に記載の壁掛け花瓶。
【請求項５】
前記吸盤は接着性シリコーンシート、シリコーンフィルム又は柔軟なプラスチックシートを用い、背面が平滑な平面とする、ことを特徴とする請求項１に記載の壁掛け花瓶。